(57)【要約】【課題】メンテナンスし易い遊技機を提供すること。【解決手段】前枠体４０は、遊技球を貯留可能な貯留空間４３２ａ、及び、遊技球を送出するための送出口４３４を有する上貯留部４３１を備え、中枠体３０は、受入口８５１及び供給口を有し、受入口８５１から受け入れた遊技球を所定数ずつ供給口から供給する球送りユニット７０と、被供給口を有し、被供給口に供給された遊技球を発射する発射装置３２と、を備え、球送りユニット７０は、被供給口を覆うように中枠体３０側に取り付け可能であるとともに、開閉及び着脱が可能であり、球送りユニット７０が取り付けられた状態において、供給口と被供給口とは遊技球が通過可能に配置され、前枠体４０が閉じられた状態において、送出口４３４と受入口８５１とは遊技球が通過可能に配置される。そして、中枠体３０は、球送りユニット７０を保持するワンタッチリベット８２を備えている。【選択図】図２
2018057745.tif 000002
【特許請求の範囲】
【請求項１】
遊技機において、
第１枠体と、
前記第１枠体に対して開閉が可能に構成された第２枠体と、を備え、
前記第２枠体は、
遊技球を貯留可能な貯留空間、及び、遊技球を送出するための送出口を有する貯留部を備え、
前記第１枠体は、
前記送出口から遊技球を受け入れるための受入口、及び、遊技球を供給するための供給口を有し、前記受入口から受け入れた遊技球を所定数ずつ前記供給口から供給する球供給部と、
前記球供給部を保持する保持手段と、
遊技球が供給される被供給口を有し、前記被供給口に供給された遊技球を発射する発射部と、を備え、
前記球供給部は、前記被供給口を覆うように前記第１枠体側に取り付けられた第１状態と、前記被供給口を覆っていない第２状態と、に切り替えが可能に構成されており、前記球供給部が前記第１状態である場合において、前記供給口と前記被供給口とは、遊技球が通過できるように配置されるようになっており、
前記第２枠体が前記第１枠体に対して閉じられた状態において、前記受入口と前記送出口とは、遊技球が通過できるように配置されるようになっており、
前記保持手段は、前記球供給部を前記第１状態に保持可能に構成されていることを特徴とする遊技機。
【請求項２】
遊技機において、
第１枠体と、
前記第１枠体に対して開閉が可能に構成された第２枠体と、を備え、
前記第２枠体は、
遊技球を貯留可能な貯留空間、及び、遊技球を送出するための送出口を有する貯留部と、
前記送出口から遊技球を受け入れるための受入口、及び、遊技球を供給するための供給口を有し、前記受入口から受け入れた遊技球を所定数ずつ前記供給口から供給する球供給部と、
前記球供給部を保持する保持手段と、を備え、
前記第１枠体は、
遊技球が供給される被供給口を有し、前記被供給口に供給された遊技球を発射する発射部を備え、
前記球供給部は、前記送出口を覆うように前記第２枠体側に取り付けられた第１状態と、及び前記送出口を覆っていない第２状態と、に切り替えが可能に構成されており、前記球供給部が第１状態である場合において、前記受入口と前記送出口とは、遊技球が通過できるように配置されるようになっており、
前記第２枠体が前記第１枠体に対して閉じられた状態において、前記被供給口と前記供給口とは、遊技球が通過できるように配置されるようになっており、
前記保持手段は、前記球供給部を前記第１状態に保持可能に構成されていることを特徴とする遊技機。
【請求項３】
前記送出口における遊技球の通過を許容する許容状態と、前記送出口における遊技球の通過を規制する規制状態と、に動作が可能な規制部を備え、
前記球供給部は、前記第１枠体側から取り外しが可能に構成されており、
前記規制部は、前記球供給部が前記第１枠体側から取り外されている場合には、前記第２枠体が前記第１枠体に対して閉じられている状態であっても、前記規制状態に動作する請求項１に記載の遊技機。
【請求項４】
前記球供給部は、該球供給部を取り付けるための取付部に対して開閉が可能に構成されており、
前記球供給部が開かれた状態である場合には、前記第２枠体が前記第１枠体に対して閉じられた状態とすることが不能に構成されている請求項１〜請求項３のうち何れか一項に記載の遊技機。
【請求項５】
前記球供給部は、該球供給部を取り付けるための取付部から取り外しが可能に構成されており、
前記球供給部が取り外されている状態であって、且つ、前記第２枠体が前記第１枠体に対して閉じられている状態では、前記第１枠体と、前記第２枠体と、前記第１枠体及び前記第２枠体の間と、のうち少なくとも１つに、遊技球を収容可能な収容空間があり、前記送出口から送出される遊技球は、前記収容空間に流入する請求項１〜請求項４のうち何れか一項に記載の遊技機。
【発明の詳細な説明】
【技術分野】
【０００１】
この発明は、遊技機に関するものである。
【背景技術】
【０００２】
従来、遊技機の一種であるパチンコ遊技機は、上皿に貯留された遊技球を取り込むとともに、発射装置によって、周期的に１球ずつ遊技領域へ向けて発射するようになっている（例えば、特許文献１）。
【先行技術文献】
【特許文献】
【０００３】
【特許文献１】特開２０１２−２４５３８８号公報
【発明の概要】
【発明が解決しようとする課題】
【０００４】
しかしながら、遊技球を周期的に１球ずつ発射させるための機構は、所定のタイミングでメンテナンスを行う必要があり、このようなメンテナンスを簡単にできることが期待されている。
【０００５】
この発明の目的は、メンテナンスし易い遊技機を提供することである。
【課題を解決するための手段】
【０００６】
上記課題を解決する遊技機は、遊技機において、第１枠体と、前記第１枠体に対して開閉が可能に構成された第２枠体と、を備え、前記第２枠体は、遊技球を貯留可能な貯留空間、及び、遊技球を送出するための送出口を有する貯留部を備え、前記第１枠体は、前記送出口から遊技球を受け入れるための受入口、及び、遊技球を供給するための供給口を有し、前記受入口から受け入れた遊技球を所定数ずつ前記供給口から供給する球供給部と、前記球供給部を保持する保持手段と、遊技球が供給される被供給口を有し、前記被供給口に供給された遊技球を発射する発射部と、を備え、前記球供給部は、前記被供給口を覆うように前記第１枠体側に取り付けられた第１状態と、前記被供給口を覆っていない第２状態と、に切り替えが可能に構成されており、前記球供給部が前記第１状態である場合において、前記供給口と前記被供給口とは、遊技球が通過できるように配置されるようになっており、前記第２枠体が前記第１枠体に対して閉じられた状態において、前記受入口と前記送出口とは、遊技球が通過できるように配置されるようになっており、前記保持手段は、前記球供給部を前記第１状態に保持可能に構成されていることを要旨とする。
【０００７】
上記課題を解決する遊技機は、遊技機において、第１枠体と、前記第１枠体に対して開閉が可能に構成された第２枠体と、を備え、前記第２枠体は、遊技球を貯留可能な貯留空間、及び、遊技球を送出するための送出口を有する貯留部と、前記送出口から遊技球を受け入れるための受入口、及び、遊技球を供給するための供給口を有し、前記受入口から受け入れた遊技球を所定数ずつ前記供給口から供給する球供給部と、前記球供給部を保持する保持手段と、を備え、前記第１枠体は、遊技球が供給される被供給口を有し、前記被供給口に供給された遊技球を発射する発射部を備え、前記球供給部は、前記送出口を覆うように前記第２枠体側に取り付けられた第１状態と、及び前記送出口を覆っていない第２状態と、に切り替えが可能に構成されており、前記球供給部が第１状態である場合において、前記受入口と前記送出口とは、遊技球が通過できるように配置されるようになっており、前記第２枠体が前記第１枠体に対して閉じられた状態において、前記被供給口と前記供給口とは、遊技球が通過できるように配置されるようになっており、前記保持手段は、前記球供給部を前記第１状態に保持可能に構成されていることを要旨とする。
【０００８】
上記遊技機について、前記送出口における遊技球の通過を許容する許容状態と、前記送出口における遊技球の通過を規制する規制状態と、に動作が可能な規制部を備え、前記球供給部は、前記第１枠体側から取り外しが可能に構成されており、前記規制部は、前記球供給部が前記第１枠体側から取り外されている場合には、前記第２枠体が前記第１枠体に対して閉じられている状態であっても、前記規制状態に動作するとよい。
【０００９】
上記遊技機について、前記球供給部は、該球供給部を取り付けるための取付部に対して開閉が可能に構成されており、前記球供給部が開かれた状態である場合には、前記第２枠体が前記第１枠体に対して閉じられた状態とすることが不能に構成されているとよい。
【００１０】
上記遊技機について、前記球供給部は、該球供給部を取り付けるための取付部から取り外しが可能に構成されており、前記球供給部が取り外されている状態であって、且つ、前記第２枠体が前記第１枠体に対して閉じられている状態では、前記第１枠体と、前記第２枠体と、前記第１枠体及び前記第２枠体の間と、のうち少なくとも１つに、遊技球を収容可能な収容空間があり、前記送出口から送出される遊技球は、前記収容空間に流入するとよい。
【発明の効果】
【００１１】
本発明によれば、メンテナンスし易い。
【図面の簡単な説明】
【００１２】
【図１】パチンコ遊技機を模式的に示す前方斜視図。
【図２】（ａ）は、前枠体を開いた状態のパチンコ遊技機を模式的に示す前方斜視図、（ｂ）は、（ａ）の一部を拡大して示す前方斜視図。
【図３】球送りユニットを取り外した状態の中枠体を模式的に示す前方斜視図。
【図４】前枠体を模式的に示す後方斜視図。
【図５】発射ユニットを模式的に示す前方斜視図。
【図６】球送りユニットを模式的に示す前方斜視図。
【図７】球送りユニットを模式的に示す後方斜視図。
【図８】分解した球送りユニットを模式的に示す前方斜視図。
【図９】図１において９−９線で示す平面で切断したときの断面図。
【図１０】別の実施形態における前枠体を模式的に示す後方斜視図。
【発明を実施するための形態】
【００１３】
（第１実施形態）
第１実施形態について説明する。
本明細書における上、下、左、右、前（表）、及び後（裏）は、遊技者から見たときの各方向を示すものとする。
【００１４】
図１に示すように、遊技機としてのパチンコ遊技機１０は、遊技枠体１１を備えている。遊技枠体１１は、外枠体２０と、第１枠体としての中枠体３０と、第２枠体としての前枠体４０と、を備えている。
【００１５】
外枠体２０について説明する。
外枠体２０は、遊技店などの島設備に固定される固定用の枠体である。外枠体２０は、天板２１、底板２２、左側板２３、及び右側板２４を備えており、正面視において、開口部２０ａを有する縦長の四角枠状である。本実施形態において、外枠体２０は、パチンコ遊技機１０の外郭をなしている。例えば、外枠体２０の天板２１及び底板２２は、ベニヤ板などのように釘打ちが可能な木製であり、左側板２３及び右側板２４は、アルミニウムなどの金属製であるとよい。
【００１６】
中枠体３０について説明する。
中枠体３０は、他の部材を搭載するための枠体である。以下の説明では、遊技枠体１１に搭載されている部材を搭載部材と示す。中枠体３０は、正面視において、縦長の四角枠状である。中枠体３０は、開口部２０ａの前面側において、外枠体２０に対して相対的に開放及び閉鎖が可能となるように、外枠体２０の左側板２３に軸支されている。
【００１７】
図２（ａ）及び図３に示すように、中枠体３０は、金属製の中ベース板部材３１を備えている。例えば、中ベース板部材３１は、鋼鈑をプレス加工することにより形成されている。なお、中ベース板部材３１は、一体に形成されていてもよく、複数の部品を組み合わせて形成されていてもよい。中枠体３０の中ベース板部材３１には、複数の搭載部材が組み付けられ、固定されている。ここでは、中枠体３０の搭載部材の概略について説明し、主に遊技球の流通に関する具体的な構成については後述する。
【００１８】
中枠体３０は、搭載部材の１つとして、中ベース板部材３１の前面側における中央部に組み付けられた遊技盤６０を備えている（図２（ａ）に示す）。遊技盤６０は、前面側に、遊技媒体としての遊技球が流下する遊技領域６１を備えている。中枠体３０は、搭載部材の１つとして、中ベース板部材３１の前面側における下部に組み付けられた発射部としての発射装置３２を備えている（図３に示す）。中枠体３０は、搭載部材の１つとして、遊技球を所定数ずつ発射装置３２に供給する球供給部としての球送りユニット７０を備えている（図２（ａ）に示す）。
【００１９】
前枠体４０について説明する。
図１及び図２（ａ）に示すように、前枠体４０は、他の部材を搭載するための枠体である。前枠体４０は、正面視において、開口部４０ａを有する縦長の四角枠状である。前枠体４０は、中枠体３０の前面側において、外枠体２０及び中枠体３０対して相対的に開放及び閉鎖が可能となるように、外枠体２０の左側板２３に軸支されている。本実施形態において、枠体３０，４０は、外枠体２０に対して相対的に開放及び閉鎖が可能であり、前枠体４０は、中枠体３０に対して相対的に開放及び閉鎖が可能である。なお、枠体３０，４０は、外枠体２０の右側板２４に軸支されていてもよい。
【００２０】
前枠体４０は、基礎部材となる前ベース板部材４１を備えている。前ベース板部材４１は、開口部４１ａを有する縦長の四角枠状である。本実施形態において、ベース板部材４１は、金属製である。例えば、前ベース板部材４１は、鋼鈑をプレス加工することにより形成されている。なお、前ベース板部材４１は、一体に形成されていてもよく、複数の部品を組み合わせて形成されていてもよい。前枠体４０の前ベース板部材４１には、複数の搭載部材が組み付けられ、固定されている。ここでは、前枠体４０の搭載部材の概略について説明し、主に遊技球の流通に関する具体的な構成については後述する。
【００２１】
前枠体４０は、搭載部材の１つとして、前ベース板部材４１の前面側における上部に組み付けられた上部パネルユニット４２を備えている。前枠体４０は、搭載部材の１つとして、前ベース板部材４１の前面における下部に組み付けられた下部パネルユニット４３を備えている。例えば、パネルユニット４２，４３は、電球やＬＥＤなどように、図示しない発光体を内蔵している。パネルユニット４２，４３は、演出の１つとして、内蔵された発光体を点灯、点滅、及び消灯させることで所定の演出（以下、発光演出と示す）を実行する。
【００２２】
下部パネルユニット４３は、前枠体４０の開口部４０ａの下方において、前方に向かって膨らむように突出した形状である。下部パネルユニット４３は、上面側に、演出ボタン４３１ａを備えている。下部パネルユニット４３は、上面側に、玉抜きボタン４３１ｂを備えている。下部パネルユニット４３は、遊技球を貯留する貯留部としての上貯留部４３１を備えている。上貯留部４３１は、遊技球が払い出される上球払出口４３２ｃを備えている。下部パネルユニット４３は、遊技球を貯留する下貯留部４３５を備えている。下貯留部４３５は、下球払出口４３５ａを備えている。
【００２３】
前枠体４０は、搭載部材の１つとして、前ベース板部材４１の前面側における左上部に組み付けられた左スピーカユニット４５と、前ベース板部材４１の前面側における右上部に組み付けられた右スピーカユニット４６と、を備えている。スピーカユニット４５，４６は、演出の１つとして、人や動物の声、効果音、及び楽曲などの音声を出力する演出（以下、音声演出と示す）を実行する。
【００２４】
前枠体４０は、搭載部材の１つとして、前ベース板部材４１の前面側における右下部に組み付けられた発射ハンドルユニット４８を備えている。発射ハンドルユニット４８は、発射ハンドル４８１を備えている。パチンコ遊技機１０では、発射ハンドル４８１の操作量（回動量）に応じた強度にて、遊技球が発射装置３２から遊技領域６１に向かって発射される。
【００２５】
図２（ａ）及び（ｂ）に示すように、前枠体４０は、搭載部材の１つとして、前ベース板部材４１の後面における左下部に組み付けられた球通路ユニット５１を備えている。球通路ユニット５１は、図示しない払出装置から払い出された遊技球が、球払出口４３２ｃ，４３５ａの何れかから払い出されるように誘導する球通路５１１を備えている。また、球通路ユニット５１は、遊技領域６１に向けて発射されたが、発射強度が不足して遊技領域６１に到達しなかった遊技球（ファール球）が、下球払出口４３５ａから下貯留部４３５に払い出されるように誘導する球通路５１２を備えている。
【００２６】
前枠体４０は、搭載部材の１つとして、前ベース板部材４１の後面側に組み付けられた保護ガラスユニット５２を備えている（図１に示す）。保護ガラスユニット５２は、前枠体４０の開口部４０ａを覆っているガラス板５２ａを備えている。ガラス板５２ａは、中枠体３０に搭載された遊技盤６０の遊技領域６１を保護している。
【００２７】
次に、遊技盤６０について説明する。
図１及び図２（ａ）に示すように、遊技盤６０は、前面側に、正面視において略円形である遊技領域６１を備えている。遊技領域６１は、遊技盤６０の前面側を、外側レール６１１及び内側レール６１２によって区画することにより形成されている。遊技盤６０は、発射装置３２から発射された遊技球を遊技領域６１に向かって案内する案内通路６１３を備えている。案内通路６１３は、レール６１１，６１２の間に形成されている。内側レール６１２は、先端部に、遊技球が遊技領域６１から案内通路６１３に逆流することを防止する逆流防止弁６１４を備えている。
【００２８】
パチンコ遊技機１０は、特別図柄表示部６２を備えている。例えば、特別図柄表示部６２は、遊技盤６０において、遊技者が視認可能な位置に設けるとよい。特別図柄表示部６２は、所定の図柄を変動表示させるとともに、最終的に特別図柄を確定停止表示させる特別図柄変動ゲームを表示する。特別図柄は、パチンコ遊技機１０において、内部的に行われる大当り抽選の結果を報知するための図柄である。大当り抽選に当選した場合には、特別図柄変動ゲームにおいて大当り図柄が導出され、その後に大当り遊技が付与される。その一方で、大当り抽選に当選しなかった場合には、特別図柄変動ゲームにおいてはずれ図柄が導出される。なお、パチンコ遊技機１０は、複数の特別図柄表示部６２を備え、各別に特別図柄変動ゲームを表示可能であってもよい。
【００２９】
パチンコ遊技機１０は、遊技領域６１の略中央に、各種の装飾が施されたセンター枠６３を備えている。センター枠６３は、開口部６３ａを備えている。パチンコ遊技機１０は、演出表示ディスプレイ６４を備えている。例えば、演出表示ディスプレイ６４は、液晶ディスプレイや有機ＥＬディスプレイなどの表示装置であってもよく、プロジェクタとスクリーンとを含んで構成された表示装置であってもよい。演出表示ディスプレイ６４は、画像が表示される表示領域６４ｒを備えている。演出表示ディスプレイ６４は、センター枠６３の開口部６３ａを介して、遊技者が表示領域６４ｒを視認可能となるように、遊技盤６０に組み付けられている。演出表示ディスプレイ６４は、演出の１つとして、所定のキャラクタや文字を模した画像（絵柄）を表示する演出（以下、表示演出と示す）を実行する。
【００３０】
本実施形態において、演出表示ディスプレイ６４が実行可能な表示演出には、演出図柄を複数列で変動表示させるとともに、最終的に演出図柄の組み合わせを導出させる演出図柄変動ゲームがある。演出図柄は、キャラクタや模様等の装飾が施された図柄（飾り図柄）であって、表示演出を多様化させるためのものである。
【００３１】
パチンコ遊技機１０は、遊技領域６１に開口している２つの始動入賞口６６を備えている。本実施形態では、２つの始動入賞口６６の何れかに入球した遊技球が、図示しないセンサで検知されると、特別図柄変動ゲームの始動条件が成立し得るとともに、賞球の払出条件が成立する。なお、始動入賞口６６は、１つであってもよい。また、パチンコ遊技機１０は、一部の始動入賞口６６を開閉する開閉部材を備えていてもよい。パチンコ遊技機１０は、遊技領域６１に開口している大入賞口６７を備えている。本実施形態では、大入賞口６７に入球した遊技球が図示しないセンサで検知されると、賞球の払出条件が成立する。パチンコ遊技機１０は、遊技領域６１において、大入賞口６７を開閉する可変部材６７ａを備えている。
【００３２】
パチンコ遊技機１０は、アウト口６８を備えている。例えば、アウト口６８は、遊技領域６１の下端部において、遊技領域６１に開口している。例えば、パチンコ遊技機１０は、複数のアウト口を備えていてもよい。パチンコ遊技機１０は、上述した入賞口６６，６７とは異なる入賞口を備えていてもよい。本明細書において、「入賞」は、遊技球が入賞口に入球することである。また、パチンコ遊技機１０は、釘や風車など、遊技領域６１を流下する遊技球の挙動に変化を与えるための部材を備えている。
【００３３】
以下、本実施形態のパチンコ遊技機１０について、遊技球の流通に関する具体的な構造について詳細に説明する。
最初に、前枠体４０の上貯留部４３１について説明する。
【００３４】
図１及び図４に示すように、下部パネルユニット４３は、上方に開口している皿状（トレー状）の上皿部材４３２を備えている。上皿部材４３２は、前枠体４０の開口部４０ａの下縁部に沿って、且つ、左右方向に沿って延びている。上皿部材４３２は、遊技球が貯留される貯留空間４３２ａを形成している。前後方向、左右方向、及び上下方向に沿った貯留空間４３２ａの長さは、何れも遊技球の直径の２倍以上の長さである。貯留空間４３２ａの底面４３２ｂは、右下がりとなるように傾斜している（図１に示す）。したがって、貯留空間４３２ａに投入された遊技球は、右方へ向かって案内される。
【００３５】
下部パネルユニット４３は、上皿部材４３２の右端部と連なるように設けられた誘導部材４３３を備えている。誘導部材４３３は、貯留空間４３２ａにある遊技球を受け入れるとともに、前枠体４０の後面側へ向かって案内する誘導路４３３ａを形成している。誘導路４３３ａの基端部は、貯留空間４３２ａの右端部と繋がっている。誘導路４３３ａの先端部側は、右方へ向かって延びるとともに、屈曲部において後方へ向かって屈曲している。誘導路４３３ａの先端部側は、前枠体４０を後方に向かって貫通している。これにより、誘導路４３３ａは、前枠体４０の後面側に開口している送出口４３４を備えている（図４に示す）。送出口４３４は、前枠体４０の後面のうち、左右方向及び上下方向の略中央に位置している。
【００３６】
遊技球の進行方向と直交する平面で切断したと仮定した場合、誘導路４３３ａの断面は、上下方向に沿った長さ、及び上下方向と直交する方向に沿った長さが、先端部へ向かうほど小さい。そして、送出口４３４において、上下方向に沿った長さ、及び左右方向に沿った長さは、好ましくは遊技球の直径の１倍を超えて２倍未満の長さであり、より好ましくは遊技球の直径よりも僅かに大きい長さである。したがって、本実施形態において、遊技球は、１球ずつ整列された状態で送出口４３４を通過する。本実施形態において、送出口４３４は、貯留空間４３２ａにある遊技球を送出するための開口部である。以上のように、上貯留部４３１は、上皿部材４３２、及び誘導部材４３３を含んで構成されている。なお、上貯留部４３１は、１つの部材から構成されていてもよく、３つ以上の部品を組み合わせて構成されていてもよい。
【００３７】
図４に示すように、前枠体４０は、後面側に、略長方形の板状部材である規制片４３６を備えている。規制片４３６は、金属製であってもよく、樹脂製であってもよい。規制片４３６は、前ベース板部材４１の後面に対して、軸部４３６ａまわりで回動可能となるように軸支されている。規制片４３６は、前ベース板部材４１の後面に沿った平面内において、送出口４３４を開いて遊技球の通過を許容する許容姿勢Ｐ１ａと、送出口４３４を閉じて遊技球の通過を規制する規制姿勢Ｐ１ｂと、に動作（回動）が可能である。前枠体４０は、バネなどの図示しない付勢手段を備えており、外力が与えられていない状態において、規制片４３６は、付勢手段の付勢力により規制姿勢Ｐ１ｂに維持される。本実施形態において、規制片４３６は、規制部に相当し、許容姿勢Ｐ１ａである状態が許容状態に相当し、規制姿勢Ｐ１ｂである状態が規制状態に相当する。
【００３８】
前枠体４０は、後面における下部に開口している被排出口４９ａを備えている。前枠体４０は、被排出口４９ａと下貯留部４３５の下球払出口４３５ａとを繋いでいる排出通路４９ｂを備えている。また、前枠体４０は、後面における下部に、機構孔４３１ｃを備えている。
【００３９】
次に、中枠体３０の発射装置３２について説明する。
図５に示すように、発射装置３２は、左右方向に沿って延びている長方形板状のベース部３２１を備えている。発射装置３２は、ベース部３２１の前面から前方に向かって突出しており、且つ、ベース部３２１の略中央部分から左上方へ向かって相互に平行となるように延びている壁として、上ガイド壁３２２と下ガイド壁３２３とを備えている。下ガイド壁３２３は、位置を変更不能となるようにベース部３２１に固定されている固定壁部３２３ａと、位置を変更可能となるようにベース部３２１に支持されている調節壁部３２３ｂと、を備えている。調節壁部３２３ｂは、上ガイド壁３２２に近接する方向と上ガイド壁３２２から離間する方向とに位置を変更できる。
【００４０】
本実施形態において、２つのガイド壁３２２，３２３に挟まれた部分は、ベース部３２１の前面側において、ベース部３２１の略中央部分から左上方へ向かって延びている発射通路３２４となる。発射装置３２の単体においては、発射通路３２４は、前方に開放された通路である。発射通路３２４を挟んで対向しているガイド壁３２２，３２３の離間距離は、好ましくは遊技球の直径の１倍を超えて２倍未満の長さであり、より好ましくは遊技球の直径よりも僅かに大きい長さである。
【００４１】
上ガイド壁３２２は、基端部（右下端部）に、上ガイド壁３２２から下方に向かって突出している球止め片３２２ａを備えている。球止め片３２２ａと、下ガイド壁３２３の基端部（右下端部）とは離間しているとともに、その離間距離は、遊技球の直径の１倍未満である。したがって、発射通路３２４において、遊技球は、球止め片３２２ａによって下方への移動が規制されている。発射通路３２４のうち、球止め片３２２ａがある基端部側の空間は、遊技球が打撃される球打部３２４ａとなる。本実施形態において、発射通路３２４のうち、球止め片３２２ａがある基端部（球打部３２４ａ）の前方部分は、球送りユニット７０から遊技球が供給される被供給口３２５である。
【００４２】
発射装置３２は、遊技球を打撃するハンマー部材３２６を備えている。ハンマー部材３２６は、上下方向に沿って延びている棒状の部材であり、一方の端部（本実施形態では下端部）に、遊技球を打撃する打撃部３２６ａを備えている。ハンマー部材３２６は、ベース部３２１の前面に沿った平面内において、軸部３２６ｂまわりで回動可能となるように軸支されている。ハンマー部材３２６は、打撃部３２６ａが、球止め片３２２ａと下ガイド壁３２３との隙間から発射通路３２４内に突出している打撃姿勢Ｐ２ａと、球止め片３２２ａと下ガイド壁３２３との隙間から発射通路３２４内に突出していない初期姿勢Ｐ２ｂと、に動作（回動）が可能である。発射装置３２は、バネなどの図示しない付勢手段を備えており、外力が与えられていない状態において、ハンマー部材３２６は、付勢手段の付勢力により初期姿勢Ｐ２ｂに維持される。
【００４３】
発射装置３２は、アクチュエータとしてモータ３２７を備えている。モータ３２７の出力軸は、ハンマー部材３２６の軸部３２６ｂに連結されている。モータ３２７は、ロータリーソレノイドであってもよく、プランジャー式ソレノイドであってもよく、ステッピングモータであってもよい。モータ３２７は、ハンマー部材３２６を打撃姿勢Ｐ２ａと初期姿勢Ｐ２ｂとの間で回動（動作）させる。発射装置３２は、上下方向に沿って延びている筒状の軸受部３２８を備えている。発射装置３２は、軸受部３２８の上部に、平面状の支持部３２８ａを備えている。発射装置３２は、ベース部３２１を前後方向に貫通しているリベット孔３２９を備えている。
【００４４】
発射装置３２において、被供給口３２５から発射通路３２４内に受け入れられた遊技球は、重力によって球打部３２４ａに保持される。そして、図中において矢印Ｙ１に示すように、球打部３２４ａにある遊技球は、ハンマー部材３２６が打撃姿勢Ｐ２ａに動作されることに伴って、球打部３２４ａ内に突出する打撃部３２６ａによって打撃され、案内通路６１３（遊技領域６１）へ向かって打ち出される。
【００４５】
次に、中枠体３０の球送りユニット７０について説明する。
図６及び図７に示すように、球送りユニット７０は、全体として左右方向に沿って延びている四角箱状である。球送りユニット７０は、球送りベース部材７１と、球送りベース部材７１の前面側を覆っている第１カバー部材８５と、球送りベース部材７１の前面側を覆っている第２カバー部材８８と、を備えている。
【００４６】
図８に示すように、球送りベース部材７１は、左右方向に沿って延びている長方形の板状である球送りベース部７２を備えている。球送りベース部材７１は、球送りベース部７２を前後方向に貫通し、且つ、球送りベース部材７１の後方に開口している供給口７１ａを備えている。供給口７１ａは、遊技球を発射装置３２の被供給口３２５へ供給するための開口部である。
【００４７】
球送りベース部材７１には、球送りベース部７２の前面から前方に向かって突出する壁によって、前方に開放されており、且つ、遊技球が一列に並んで流通する球通路が形成されている。具体的に説明すると、球送りベース部材７１は、球送りベース部７２の右上部から左下方へ、左下がりで緩やかに下っている第１供給通路７３を備えている。球送りベース部材７１は、分岐部７６からさらに左方へ向かって延びており、且つ、供給口７１ａに繋がっている第２供給通路７４を備えている。球送りベース部材７１は、分岐部７６からさらに下方へ向かって延びている排出通路７５を備えている。通路７３，７４は、球送りベース部７２と、それぞれの通路を挟んで対向している壁と、によって前方に開放された状態にて形成されている。通路７３，７４を挟んで対向している壁同士の離間距離は、好ましくは遊技球の直径の１倍を超えて２倍未満であり、より好ましくは遊技球の直径より僅かに大きい。
【００４８】
球送りユニット７０は、球切り機構７７を備えている。球切り機構７７は、第１供給通路７３において一列に並んでいる遊技球の列から、所定数としての１球の遊技球を切り出すとともに、供給口７１ａから送出させるための機構である。球切り機構７７は、球送りベース部材７１の前面側に設けられている。
【００４９】
球切り機構７７は、球切り部材７８を備えている。球切り部材７８は、正面視において、全体として左右逆転した逆コ字型の部材である。球切り部材７８において、前後方向に沿った長さ（厚さ）は、遊技球の直径の１倍を超えて２倍未満である。球切り部材７８は、該球切り部材７８を、右端部から左端部側へ向かって四角形に切り欠くようにして形成された球切り収容部７８１を備えている。球切り収容部７８１は、１球の遊技球を収容可能な球切り収容空間７８１ａを形成している。球切り収容空間７８１ａの底面７８１ｂは、後下がりで傾斜している。
【００５０】
球切り部材７８は、上端部に、磁性体である金属片７８３を備えている。球切り部材７８は、前後方向に沿って延びている球切り軸部７８２を備えている。球切り部材７８は、球切り軸部７８２を中心として、上下方向に沿って回動が可能となるように、球送りベース部７２に組み付けられている。
【００５１】
球切り部材７８は、供給姿勢Ｐ３ａと、停止姿勢Ｐ３ｂと、に動作が可能である。供給姿勢Ｐ３ａは、球切り部材７８が下方へ向かって回動した状態であって、正面視において、球切り収容空間７８１ａと供給口７１ａとが整合一致した状態である。したがって、球切り収容空間７８１ａに収容されている遊技球は、球切り部材７８が供給姿勢Ｐ３ａになると、供給口７１ａから送出される。このとき、球切り収容部７８１の上端部は、分岐部７６に臨むようになっており、遊技球が第１供給通路７３から第２供給通路７４に流入することを規制している。
【００５２】
一方、停止姿勢Ｐ３ｂは、球切り部材７８が上方へ向かって回動した状態であって、正面視において、球切り収容空間７８１ａと供給口７１ａとが整合一致しない状態である。したがって、停止姿勢Ｐ３ｂにおいて、球切り収容空間７８１ａに収容されている遊技球は、供給口７１ａから送出されない。このとき、球切り収容空間７８１ａは、右方において分岐部７６と連通する。このため、球切り収容部７８１に遊技球が収容されていない場合、第１供給通路７３内の遊技球は、球切り収容空間７８１ａに流入する。このように、球切り部材７８は、第２供給通路７４における遊技球の流通を制御している。
【００５３】
球切り機構７７は、球切り部材７８を供給姿勢Ｐ３ａと停止姿勢Ｐ３ｂとに動作させるためのアクチュエータとして、電磁石７９を備えている。なお、電磁石７９は、ソレノイドやモータに変更してもよい。電磁石７９は、通電状態とされることで磁力を発生し、該磁力によって金属片７８３を引きあげ、これに伴って球切り部材７８を停止姿勢Ｐ３ｂに動作させる。電磁石７９は、非通電状態とされることで磁力が消失され、球切り部材７８及び遊技球の自重によって、球切り部材７８を供給姿勢Ｐ３ａに動作させる。球送りベース部材７１は、電磁石７９の配線を収容するための引出通路７９１を備えている。
【００５４】
球送りユニット７０は、球抜き部材８１を備えている。球抜き部材８１は、左右方向に沿って延びている略四角箱状の本体部８１１と、本体部８１１の前面から前方に向かって延びている棒状の操作部８１２と、を備えている。球抜き部材８１は、本体部８１１の右端部に接続され、且つ、右方向に向かって延びているバネ８１３と、本体部８１１の左端部から左方に向かって延びている板状の規制部８１４と、を備えている。
【００５５】
球送りベース部材７１は、球抜き部材８１を収容し、且つ、左右方向に沿ってスライド可能に支持する収容部８０を備えている。収容部８０と分岐部７６とは連通しており、該連通している部分において、球抜き部材８１の規制部８１４は、分岐部７６に対して出没が可能である。
【００５６】
球抜き部材８１は、球送り位置Ｐ４ａと、玉抜き位置Ｐ４ｂと、に動作が可能である。球送り位置Ｐ４ａは、規制部８１４が分岐部７６に突出しており、第１供給通路７３から分岐部７６に流入した遊技球が、第２供給通路７４に流入するように案内するとともに、排出通路７５に流入しないように規制している状態である。球抜き部材８１は、外力が与えられていない状態においては、バネ８１３の付勢力によって、球送り位置Ｐ４ａに維持される。玉抜き位置Ｐ４ｂは、規制部８１４が分岐部７６に突出しておらず、第１供給通路７３から分岐部７６に流入した遊技球が、排出通路７５に流入するように案内する一方で、第２供給通路７４に流入しない状態である。
【００５７】
球送りベース部材７１は、球送りベース部７２を前後方向に貫通するように支持されたワンタッチリベット８２を備えている。ワンタッチリベット８２は、球送りベース部７２の前面側に配置され、且つ、前後方向に沿って移動可能に支持された操作部８２１と、球送りベース部７２の後面側に配置された拡径部８２２と、を備えている。拡径部８２２は、操作部８２１が後方に向かって押し込まれると、前後方向と直交する平面方向に沿って外形が拡大する一方、操作部８２１が前方に向かって引き出されると、前後方向と直交する平面方向に沿って外形が縮小する。
【００５８】
球送りベース部材７１は、上縁部に沿って並んでいる２つの上係止部８３を備えている。２つの上係止部８３は、球送りベース部７２の上縁部から下縁部側へ切り欠くようにして形成されている。球送りベース部材７１は、収容部８０の下方に、左右方向に沿って並んでいる２つの下係止部８４を備えている。２つの下係止部８４は、球送りベース部７２を前後方向に貫通している。球送りベース部材７１は、第１供給通路７３の上方に、中係止部８４１を備えている。中係止部８４１は、球送りベース部７２を前後方向に貫通している。球送りベース部材７１は、球送りベース部７２の左下部に、下方に向かって延びている軸部７２ａを備えている。また、球送りベース部材７１は、軸部７２ａの基端部に複数（本実施形態では３つ）のリブ７２ｂを備えている。複数のリブ７２ｂは、左方に向かうほど後方へ下がるように傾斜している傾斜面７２ｃをそれぞれ備えている。
【００５９】
第１カバー部材８５は、開口部８５ａを有する枠状の部材である。第１カバー部材８５は、開口部８５ａの右上方において、前方に開口し、且つ、前枠体４０側の送出口４３４から遊技球を受け入れるための受入口８５１を備えている。第１カバー部材８５は、開口部８５ａの下方において、前方に開口し、且つ、球送りユニット７０（第１供給通路７３，分岐部７６）内にある遊技球を排出するための排出口８５２を備えている。
【００６０】
第１カバー部材８５は、開口部８５ａの上方において、前方に向かって突出している突出片８５３を備えている。第１カバー部材８５は、開口部８５ａの右方において、上下方向に沿って延びている保持部８５５を備えている。上下方向と直交する平面で切断したと仮定した場合、保持部８５５の断面は、後方に向かって湾曲している円弧状である。第１カバー部材８５は、開口部８５ａの下方であって、排出口８５２の右方に、前後方向に貫通し、且つ、左右方向に沿って延びている挿通孔８５６を備えている。
【００６１】
第１カバー部材８５は、上縁部に沿って並んでいる２つの上係止爪８５７を備えている。第１カバー部材８５は、下縁部に沿って並んでいる２つの下係止爪８５８を備えている（図７に示す）。第１カバー部材８５は、２つの上係止爪８５７のそれぞれが球送りベース部材７１の上係止部８３，８３に各別に係止し、且つ、２つの下係止爪８５８のそれぞれが球送りベース部材７１の下係止部８４，８４に各別に係止することによって、球送りベース部材７１の前面側に取り付けられている。第１カバー部材８５は、上係止爪８５７，８５７と上係止部８３，８３との係止、及び、下係止爪８５８，８５８と下係止部８４，８４との係止を解除することによって、球送りベース部材７１から取り外すことができる。
【００６２】
球送りベース部材７１と第１カバー部材８５とを組み付けた状態では、正面視において、第１カバー部材８５の受入口８５１と、第１供給通路７３の右上端部と、が整合一致している。球送りベース部材７１と第１カバー部材８５とを組み付けた状態では、正面視において、第１カバー部材８５の排出口８５２と、排出通路７５の下端部と、が整合一致している。球送りベース部材７１と第１カバー部材８５とを組み付けた状態では、球抜き部材８１の操作部８１２が第１カバー部材８５の挿通孔８５６から前方に突出している。球抜き部材８１の操作部８１２は、挿通孔８５６に沿って、左右方向に移動が可能である。
【００６３】
球送りベース部材７１と第１カバー部材８５とを組み付けた状態では、正面視において、第１カバー部材８５の開口部８５ａと、球送りベース部材７１の第１供給通路７３、第２供給通路７４、及び分岐部７６と、が整合一致している。したがって、球送りベース部材７１と第１カバー部材８５とを組み付けただけの状態では、開口部８５ａにおいて、第１供給通路７３、第２供給通路７４、及び分岐部７６が露出している。球送りベース部材７１と第１カバー部材８５とを組み付けた状態では、球送りユニット７０の左側面において、引出通路７９１が開口しており、該開口部から、電磁石７９の図示しない配線が引き出されている。
【００６４】
第２カバー部材８８は、正面視において、第１カバー部材８５の開口部８５ａの形状と一致した形状である板状の蓋板部８８１を備えている。第２カバー部材８８は、蓋板部８８１の右端部に、下方に向かって延びている前軸部８８２を備えている。第２カバー部材８８は、蓋板部８８１の上部において、後方に向かって延びている係止爪８８３を備えている。
【００６５】
第２カバー部材８８は、上方から前軸部８８２を、第１カバー部材８５の保持部８５５に挿通させることによって、第１カバー部材８５の前面側において、前軸部８８２まわりで回動が可能に支持されている。また、第２カバー部材８８は、該第２カバー部材８８の係止爪８８３を、球送りベース部材７１の中係止部８４１に係止させることによって、球送りベース部材７１に固定されている。この状態において、球送りベース部材７１の開口部８５ａは、蓋板部８８１によって覆われ、閉鎖される。これにより、球送りベース部材７１の第１供給通路７３、第２供給通路７４、及び分岐部７６は、第２カバー部材８８によって前方が閉鎖される。したがって、本実施形態において、第１供給通路７３、第２供給通路７４、及び分岐部７６は、球送りベース部７２を後方の壁とし、第２カバー部材８８を前方の壁として形成されているともいえる。
【００６６】
第２カバー部材８８は、係止爪８８３と中係止部８４１との係止を解除することによって、第１カバー部材８５の開口部８５ａを開放できる。さらに、第２カバー部材８８は、保持部８５５から前軸部８８２を引き抜くことにより、第１カバー部材８５から取り外すことができる。したがって、本実施形態の球送りユニット７０では、第２カバー部材８８を開放することによって、球送りベース部材７１の第１供給通路７３、第２供給通路７４、及び分岐部７６を開放し、通路における遊技球の詰まりを解消させるなど、内部のメンテナンスを容易にできる。また、球送りユニット７０では、第２カバー部材８８を取り外すことで、作業スペースを確保できる。また、球送りユニット７０では、第１カバー部材８５を取り外すことにより、球切り機構７７（球切り部材７８、電磁石７９）、及び球抜き部材８１のメンテナンスが容易にできる。
【００６７】
前述のように、第１カバー部材８５は、球送りベース部材７１から取り外しが可能である。したがって、本実施形態では、第２カバー部材８８の開放→第２カバー部材８８の取り外し→第１カバー部材８５の取り外しの順に、球送りユニット７０におけるメンテナンスの作業スペースを段階的に広くし、作業性を向上させることができる。
【００６８】
図２に示すように、球送りユニット７０は、球送りベース部材７１の軸部７２ａを、発射装置３２の軸受部３２８に上方から挿通させることによって、発射装置３２の前面側において、軸部７２ａまわりで回動が可能に支持されている。また、球送りユニット７０は、ワンタッチリベット８２の拡径部８２２を、リベット孔３２９に挿入させた状態において、操作部８２１を押し込むことによって、中枠体３０側である発射装置３２の前面に固定し、組み付けることができる。本実施形態において、中枠体３０の前面側のうち、発射装置３２の前面は、球送りユニット７０を取り付けるための取付部９０に相当する。
【００６９】
したがって、球送りユニット７０は、ワンタッチリベット８２による固定を解除することによって、発射装置３２に対して開放が可能である。球送りユニット７０は、軸受部３２８から軸部７２ａを引き抜くことにより、発射装置３２の前面側から取り外すことが可能に構成されている。したがって、本実施形態のパチンコ遊技機１０では、球送りユニット７０を開放することによって、発射装置３２のメンテナンスを容易にできる。また、本実施形態のパチンコ遊技機１０では、球送りユニット７０を取り外すことによって、作業スペースを確保し、発射装置３２のメンテナンスをさらに容易にできる。
【００７０】
また、球送りユニット７０が開放されている状態に回動されると、軸部７２ａの基端部にある複数のリブ７２ｂの傾斜面７２ｃと、軸受部３２８の上方にある支持部３２８ａとが相互に当接するようになっている。したがって、本実施形態において、球送りユニット７０は、リブ７２ｂと支持部３２８ａとが当接することによって、それ以上、左方に回動しないように支持される。
【００７１】
そして、球送りユニット７０が発射装置３２の前面側（取付部９０）に取り付けられている状態では、正面視において、発射装置３２の被供給口３２５と、球送りユニット７０の供給口７１ａとが整合一致している。即ち、本実施形態では、球送りユニット７０が取付部９０に取り付けられた状態において、供給口７１ａと被供給口３２５とは、遊技球が通過できるように配置されるようになっている。また、球送りユニット７０（球送りベース部７２）の後面は、発射通路３２４の前方を塞いでいる壁として兼用される。
【００７２】
本実施形態において、ワンタッチリベット８２を用いて球送りユニット７０が発射装置３２の前面側（取付部９０）に固定された状態は、発射装置３２の被供給口３２５を覆うように中枠体３０側に取り付けられた第１状態に相当する。また、ワンタッチリベット８２による固定が解除され、球送りユニット７０が前方に向かって回動した状態、及び球送りユニット７０が発射装置３２の前面側から取り外された状態は、発射装置３２の被供給口３２５を覆っていない第２状態に相当する。そして、球送りユニット７０は、上記第１状態と上記第２状態とに切り替えが可能に構成されているといえる。本実施形態において、ワンタッチリベット８２は、球送りユニット７０を保持する保持手段に相当する。ワンタッチリベット８２は、球送りユニット７０を第１状態に保持可能に構成されている。
【００７３】
そして、図９に示すように、前枠体４０が中枠体３０に対して閉じられている状態では、正面視において、前枠体４０側にある誘導路４３３ａの送出口４３４と、球送りユニット７０の受入口８５１とが整合一致している。即ち、本実施形態では、前枠体４０（第２枠体）が中枠体３０（第１枠体）に対して閉じられた状態において、受入口８５１と送出口４３４とは、遊技球が通過できるように配置される。
【００７４】
球送りユニット７０が中枠体３０側に取り付けられており、且つ、前枠体４０が中枠体３０に対して閉じられている状態において、球送りユニット７０の突出片８５３は、規制片４３６のうち軸部４３６ａよりも左側部分に当接することによって、当該部分を押下げ、規制片４３６の状態を規制姿勢Ｐ１ｂから許容姿勢Ｐ１ａに変化させる。これにより、球送りユニット７０が中枠体３０側に取り付けられており、且つ、前枠体４０が中枠体３０に対して閉じられている状態では、前枠体４０側の送出口４３４から、中枠体３０側にある球送りユニット７０の受入口８５１へと、遊技球の受け渡しが可能になる。
【００７５】
以上のように、本実施形態では、貯留空間４３２ａから誘導路４３３ａに受け入れられた遊技球は、誘導路４３３ａによって前枠体４０の後面側へと案内されるとともに、送出口４３４から送出される。送出口４３４から送出された遊技球は、球送りユニット７０の受入口８５１によって受け入れられ、球送りユニット７０の第１供給通路７３において、一列に整列する。球送りユニット７０において、第１供給通路７３内に１列に整列された遊技球は、球切り機構７７の動作によって、所定数としての１球ずつ切り出すようにして、球送りユニット７０の供給口７１ａから供給（送出）される。球送りユニット７０の供給口７１ａから供給された遊技球は、発射装置３２の被供給口３２５によって受け入れられ、球打部３２４ａに至る。その後、発射装置３２の球打部３２４ａにおいて、遊技球は、ハンマー部材３２６によって打撃され、遊技領域６１へ向かって打ち出されるようになっている。
【００７６】
ここで、発射装置３２の前面側（取付部９０）から球送りユニット７０が取り外された状態のまま、前枠体４０が中枠体３０に対して閉じられた状態とされた場合には、球送りユニット７０の突出片８５３が規制片４３６に接触することがない。このため、本実施形態において、規制片４３６（規制部）は、球送りユニット７０（球供給部）が中枠体３０（第１枠体）側から取り外されている場合には、前枠体４０（第２枠体）が中枠体３０に対して閉じられている状態であっても、規制姿勢Ｐ１ｂ（規制状態）に動作する。したがって、本実施形態のパチンコ遊技機１０では、発射装置３２の前面側から球送りユニット７０が取り外された状態のまま、前枠体４０が中枠体３０に対して閉じられた場合であっても、遊技球が送出口４３４からパチンコ遊技機１０の内部に零れ落ちてしまうことが抑制される。
【００７７】
また、上述のように、球送りユニット７０は、該球送りユニット７０を取り付けるための取付部９０（発射装置３２の前面側）に対して、開閉が可能に構成されている。ここで、球送りユニット７０は、該球送りユニット７０が発射装置３２の前面に対して開放されている状態のまま前枠体４０を閉じようとしたときに、球送りユニット７０と前枠体４０とが接触する位置に取り付けられている。具体的に言えば、球送りユニット７０の右端部と、球通路ユニット５１とが接触する。ここで、前述のように、開放されている状態の球送りユニット７０は、リブ７２ｂと支持部３２８ａとが当接することによって、それ以上、左方に回動しないように支持される。したがって、パチンコ遊技機１０は、球送りユニット７０が開かれた状態である場合には、前枠体４０が中枠体３０に対して閉じられた状態とすることが不能に構成されている。
【００７８】
球送りユニット７０が中枠体３０側に取り付けられており、且つ、前枠体４０が中枠体３０に対して閉鎖された状態において、球抜き部材８１の操作部８１２は、前枠体４０側の機構孔４３１ｃに挿入されている。この状態において、球抜き部材８１の操作部８１２は、玉抜きボタン４３１ｂに連結された図示しない機構部材に接触している。そして、玉抜きボタン４３１ｂが押し込まれていない状態において、球抜き部材８１は、球送り位置Ｐ４ａに位置する。球抜き部材８１は、玉抜きボタン４３１ｂが押し込まれると、操作部８１２が上記機構部材によって右方へ移動されることによって、玉抜き位置Ｐ４ｂへと動作するようになっている。
【００７９】
球送りユニット７０が中枠体３０側に取り付けられており、且つ、前枠体４０が中枠体３０に対して閉鎖された状態では、正面視において、球送りユニット７０の排出口８５２と、前枠体４０側の被排出口４９ａとが整合一致している。したがって、本実施形態では、玉抜きボタン４３１ｂの操作に伴って、球抜き部材８１が球送り位置Ｐ４ａから玉抜き位置Ｐ４ｂへと動作されると、第１供給通路７３及び分岐部７６にある遊技球が排出口８５２から排出される。そして、排出口８５２から排出された遊技球は、被排出口４９ａによって受け入れられ、排出通路４９ｂを通過して、下球払出口４３５ａから下貯留部４３５に返却される。
【００８０】
次に、パチンコ遊技機１０の電気的構成について説明する。
パチンコ遊技機１０は、遊技盤６０の裏側に、図示しない主制御基板を備えている。主制御基板は、演算ユニットとメモリを備えている。主制御基板の演算ユニットは、メモリに記憶されたプログラムを実行することで各種の処理を行い、該処理の結果に応じたコマンド（制御情報）を主制御基板から出力させる。
【００８１】
また、パチンコ遊技機１０は、遊技盤６０の裏側に、副制御基板を備えている。副制御基板は、演算ユニットとメモリを備えている。副制御基板の演算ユニットは、メモリに記憶されたプログラムを実行することで、主制御基板から入力したコマンドに基づいて所定の演出を実行させる制御を行う。例えば、副制御基板の演算ユニットは、パネルユニット４２，４３による発光演出、スピーカユニット４５，４６による音声演出、演出表示ディスプレイ６４による表示演出を実行させる。
【００８２】
本実施形態において、パネルユニット４２，４３は、発光演出手段として、スピーカユニット４５，４６は、音声演出手段として、演出表示ディスプレイ６４は、表示演出手段として把握できる。即ち、本実施形態では、パネルユニット４２，４３、スピーカユニット４５，４６、及び演出表示ディスプレイ６４は、１又は複数の演出手段から構成された演出実行手段として把握できる。
【００８３】
パチンコ遊技機１０は、遊技盤６０の裏側に、発射制御基板６９を備えている。発射制御基板６９は、発射ハンドル４８１と接続されている。発射制御基板６９は、発射ハンドル４８１がその操作量に応じて出力する操作信号を入力可能に構成されている。
【００８４】
発射制御基板６９は、球送りユニット７０の電磁石７９と接続されている。本実施形態において、電磁石７９の配線は、引出通路７９１に挿通されているとともに、球送りユニット７０の左側面の開口部から引き出されている。発射制御基板６９は、電磁石７９の通電状態を制御可能に構成されている。発射制御基板６９は、発射装置３２のモータ３２７と接続されている。発射制御基板６９は、モータ３２７に対して所定の信号を出力することによって、モータ３２７を駆動させ、ハンマー部材３２６を打撃姿勢Ｐ２ａと初期姿勢Ｐ２ｂとに動作させることが可能である。
【００８５】
発射制御基板６９は、発射ハンドル４８１から操作信号を入力すると、モータ３２７を制御し、単位時間あたりの発射数が所定数（例えば、１００球／分）となるように、ハンマー部材３２６を打撃姿勢Ｐ２ａと初期姿勢Ｐ２ｂとに交互に繰り返し動作させる。また、発射制御基板６９は、入力した操作信号から特定可能な操作量に対応した強度で遊技球が発射されるように、モータ３２７を制御する。また、発射制御基板６９は、発射ハンドル４８１から操作信号を入力すると、ハンマー部材３２６による打撃動作と連動させるように、電磁石７９を通電状態と非通電状態とに切り替えるように制御し、遊技球を球送りユニット７０から発射装置３２へと１球ずつ供給する。発射制御基板６９は、発射ハンドル４８１から操作信号を入力しなくなると、モータ３２７を制御し、遊技球の発射を停止させる。発射制御基板６９は、発射ハンドル４８１から操作信号を入力しなくなると、電磁石７９を制御し、遊技球の供給を停止させる。
【００８６】
したがって、本実施形態のパチンコ遊技機１０は、次の効果を有する。
（１）本実施形態によれば、球送りユニット７０及び発射装置３２は中枠体３０に、上貯留部４３１は前枠体４０に分離してある。そして、前枠体４０が閉じられている状態において、上貯留部４３１の送出口４３４と、球送りユニット７０の受入口８５１とは、遊技球が通過できるように配置される。さらに、球送りユニット７０は、発射装置３２の被供給口３２５を覆っている第１状態と覆っていない第２状態とに切り替えが可能に構成されているとともに、球送りユニット７０が第１状態である場合において、供給口７１ａと被供給口３２５とは、遊技球が通過できるように配置される。このため、遊技球を上貯留部４３１から発射装置３２へ誘導することにも支障がない。したがって、発射装置３２、球送りユニット７０、及び上貯留部４３１のメンテナンスを容易にすることができる。
【００８７】
（２）本実施形態によれば、規制片４３６は、球送りユニット７０が中枠体３０側から取り外されている場合には、前枠体４０が中枠体３０に対して閉じられている状態であっても、規制姿勢Ｐ１ｂに動作する。したがって、本実施形態のパチンコ遊技機１０では、発射装置３２の前面側から球送りユニット７０が取り外された状態のまま、前枠体４０が中枠体３０に対して閉じられた場合であっても、遊技球が、前枠体４０側の送出口４３４からパチンコ遊技機１０の内部に零れ落ちてしまうことが抑制される。
【００８８】
（３）本実施形態によれば、球送りユニット７０が開かれた状態である場合には、前枠体４０が中枠体３０に対して閉じられた状態とすることが不能に構成されている。これにより、本実施形態のパチンコ遊技機１０では、球送りユニット７０が開かれた状態のまま、前枠体４０が閉じられてしまうことが抑制される。
【００８９】
（４）本実施形態によれば、ワンタッチリベット８２によって、球送りユニット７０を第１状態に保持できる。このため、例えば、前枠体４０を開閉する場合などに、球送りユニット７０が意図しないで開放されてしまい、前枠体４０を開閉し難くなることが抑制される。
【００９０】
（５）本実施形態によれば、電磁石７９の配線は、引出通路７９１に挿通されているとともに、球送りユニット７０の側面の開口部から引き出されている。したがって、配線の取り回しが容易になるとともに、球送りユニット７０を閉鎖する場合に、配線を挟み込んでしまうことを抑制できる。
【００９１】
（６）本実施形態によれば、第２カバー部材８８によって、第１カバー部材８５の開口部８５ａ（第１供給通路７３及び分岐部７６）の開閉が可能である。したがって、第１カバー部材８５を球送りベース部材７１から取り外さなくても、メンテナンスができる。
【００９２】
（７）本実施形態によれば、第２カバー部材８８は、第１カバー部材８５から取り外しが可能である。したがって、第１供給通路７３及び分岐部７６のメンテナンスを行なうときに、作業スペースを確保できる。
【００９３】
（８）本実施形態によれば、第１カバー部材８５は、球送りベース部材７１から取り外しが可能である。したがって、第１供給通路７３及び分岐部７６や、球切り機構７７などのメンテナンスを行なうときに、作業スペースを確保できる。
【００９４】
（９）本実施形態によれば、玉抜きボタン４３１ｂを操作することによって、球送りユニット７０（第１供給通路７３及び分岐部７６）から遊技球を排出できる。そして、本実施形態では、前枠体４０を閉じた状態において、排出口８５２と被排出口４９ａとは、遊技球が通過可能に配置されることから、遊技球を下貯留部４３５に案内することにも支障がない。
【００９５】
（第２実施形態）
第２実施形態について説明する。
以下の説明では、既に説明した実施形態と同じ構成、及び同じ制御については、同じ符号を付すなどして、その説明を省略又は簡略化する。
【００９６】
図１０に示すように、本実施形態の前枠体４０は、上貯留部４３１と、球送りユニット７０と、を備えている。本実施形態の中枠体３０は、発射装置３２を備えている。第２実施形態のパチンコ遊技機１０において、球送りユニット７０は、前枠体４０の後面側であって、上貯留部４３１の送出口４３４を覆う取付部９１に対して、開放及び閉鎖が可能であって、且つ、取り外しが可能となるように取り付けられている。
【００９７】
具体的に、球送りユニット７０は、前枠体４０の後面に設けられた軸受部３２８に対して、上方から軸部７２ａを挿通させることによって、取付部９１に対して、軸部７２ａまわりで回動可能となるように軸支されている。また、球送りユニット７０は、ワンタッチリベット８２の拡径部８２２を、前枠体４０の後面側に設けられたリベット孔３２９に挿入させた状態において、操作部８２１を押し込むことによって、前枠体４０側である取付部９１に固定し、組み付けることができる。
【００９８】
したがって、球送りユニット７０は、ワンタッチリベット８２による固定を解除することによって、取付部９１に対して開放が可能である。球送りユニット７０は、軸受部３２８から軸部７２ａを引き抜くことにより、取付部９１（前枠体４０側）から取り外すことが可能に構成されている。このように、本実施形態の球送りユニット７０は、送出口４３４を覆うように取付部９１（前枠体４０側）に取り付けられた第１状態と、及び送出口４３４を覆っていない第２状態と、に切り替えが可能に構成されている。
【００９９】
球送りユニット７０が取付部９１に取り付けられている状態では、正面視において、球送りユニット７０の受入口８５１と、前枠体４０側の送出口４３４とが整合一致している。即ち、球送りユニット７０が上記第１状態である場合において、受入口８５１と送出口４３４とは、遊技球が通過できるように配置されるようになっている。
【０１００】
また、球送りユニット７０が前枠体４０側に取り付けられており、且つ、前枠体４０が中枠体３０に対して閉鎖された状態では、球送りユニット７０の供給口７１ａと、発射装置３２の被供給口３２５とは、正面視において、整合一致している。即ち、前枠体４０が中枠体３０に対して閉じられた状態において、被供給口３２５と供給口７１ａとは、遊技球が通過できるように配置される。
【０１０１】
したがって、本実施形態のパチンコ遊技機１０は、第１実施形態における効果（３）〜（８）に加えて、次の効果を有する。
（１０）本実施形態によれば、発射装置３２は中枠体３０に、上貯留部４３１及び球送りユニット７０は前枠体４０に分離してある。そして、前枠体４０が閉じられている状態において、球送りユニット７０の供給口７１ａと、発射装置３２の被供給口３２５とは、遊技球が通過できるように配置される。さらに、球送りユニット７０は、送出口４３４を覆っている第１状態と覆っていない第２状態とに切り替えが可能に構成されているとともに、球送りユニット７０が第１状態である場合において、送出口４３４と受入口８５１とは、遊技球が通過できるように配置される。このため、遊技球を上貯留部４３１から発射装置３２へ誘導することにも支障がない。したがって、発射装置３２、球送りユニット７０、及び上貯留部４３１のメンテナンスを容易にすることができる。
【０１０２】
（１１）本実施形態によれば、球送りユニット７０が取付部９１に対して開放された状態、又は取付部９１から取り外された状態では、球送りユニット７０の突出片８５３が規制片４３６に接触しない。このため、本実施形態において、規制片４３６は、球送りユニット７０が取付部９１に対して開放された状態、又は取付部９１から取り外された状態では、規制姿勢Ｐ１ｂに動作する。したがって、球送りユニット７０を開放させたり、取り外したりした場合に、前枠体４０側の送出口４３４から、遊技球が零れ落ちてしまうことが抑制される。
【０１０３】
（１２）本実施形態によれば、玉抜きボタン４３１ｂを操作することによって、球送りユニット７０（第１供給通路７３及び分岐部７６）から遊技球を排出できる。そして、本実施形態では、球送りユニット７０を取付部９１に組み付けた状態において、排出口８５２と被排出口４９ａとは、遊技球が通過可能に配置されることから、遊技球を下貯留部４３５に案内することにも支障がない。
【０１０４】
例えば、上記実施形態は、次のように変更してもよい。
・パチンコ遊技機１０は、中枠体３０、及び前枠体４０の少なくとも一方に、球送りユニット７０が取り外されているときに送出口４３４と連通される空間であって、且つ、遊技球を収容可能な収容空間を備えていてもよい。また、パチンコ遊技機１０は、相互に閉鎖されている中枠体３０と前枠体４０との間に、球送りユニット７０が取り外されているときに送出口４３４と連通される空間であって、且つ、遊技球を収容可能な収容空間を備えていてもよい。例えば、図９に示すように、上記実施形態において、規制片４３６を省略した場合には、球送りユニット７０が占めている空間を収容空間９３として機能させることが可能である。即ち、球送りユニット７０が占める空間は、球送りユニット７０が取り外されている状態であって、且つ、前枠体４０が中枠体３０に対して閉じられている状態において、送出口４３４から送出される遊技球（こぼれ球）を収容することが可能である。これによれば、球送りユニット７０の取り付けを忘れたまま、前枠体４０を閉鎖してしまった場合であっても、遊技球をパチンコ遊技機１０の内部に収容しておくことができる。
【０１０５】
・球送りユニット７０は、取付部９０，９１に対して開閉が可能である一方で、取り外し不能に構成されていてもよい。
・球送りユニット７０は、取付部９０，９１に対して取り付け及び取り外しが可能である一方で、取付部９０，９１に対して取り付けた状態において開閉（回動）不能に構成されていてもよい。
【０１０６】
・球送りユニット７０において、第１カバー部材８５と球送りベース部材７１とは取り外し不能に固定されていてもよい。
・球送りユニット７０において、第１カバー部材８５と第２カバー部材８８とは取り外し及び開閉が不能に固定されていてもよい。即ち、第１カバー部材８５は、開口部８５ａを備えていなくてもよい。この場合、第２カバー部材８８を省略できる。
【０１０７】
・球送りベース部材７１と第１カバー部材８５とを固定するための構造は、適宜変更してもよい。例えば、球送りベース部材７１と第１カバー部材８５とは、ネジやワンタッチリベットにより固定されていてもよい。
【０１０８】
・第１カバー部材８５と第２カバー部材８８とを固定するための構造は、適宜変更してもよい。例えば、第１カバー部材８５と第２カバー部材８８とは、ネジやワンタッチリベットにより固定されていてもよい。
【０１０９】
・取付部９０，９１と球送りユニット７０とを固定するための構造は、適宜変更してもよい。例えば、球送りユニット７０は、ワンタッチリベット８２に代えて、フックやネジなどによって固定されていてもよい。この場合、フックやネジが保持手段に相当する。
【０１１０】
・パチンコ遊技機１０は、規制片４３６を備えていなくてもよい。
・特別ゲームは、演出表示ディスプレイ６４にて表示してもよい。この場合、演出ゲームを表示しないようにしてもよい。
【０１１１】
・パチンコ遊技機１０は、第１特別図柄を用いる第１特別ゲームと、第２特別図柄を用いる第２特別ゲームと、を実行可能に構成されていてもよい。
・主制御基板の機能は、複数の基板に分割して実現してもよい。主制御基板は、単一の基板上に実装された複数のＣＰＵから構成されていてもよい。
【０１１２】
・副制御基板の機能は、複数の基板に分割して実現されていてもよい。例えば、パチンコ遊技機１０は、表示演出装置を専門に制御する表示基板、発光演出装置を専門に制御するランプ基板、及び音声演出装置を専門に制御する音声基板を備えていてもよく、これらの基板群を統括的に制御する統括基板をさらに備えていてもよい。
【符号の説明】
【０１１３】
１０…パチンコ遊技機（遊技機）、３０…中枠体（第１枠体）、３２…発射装置（発射部）、３２５…被供給口、４０…前枠体（第２枠体）、４３１…上貯留部（貯留部）、４３２ａ…貯留空間、４３３ａ…誘導路、４３４…送出口、４３６…規制片（規制部）、７０…球送りユニット（球供給部）、８２…ワンタッチリベット（保持手段）、８５１…受入口、７１ａ…供給口、９０，９１…取付部、９３…収容空間。
【図１】
2018057745.tif 000003
【図２】
2018057745.tif 000004
【図３】
2018057745.tif 000005
【図４】
2018057745.tif 000006
【図５】
2018057745.tif 000007
【図６】
2018057745.tif 000008
【図７】
2018057745.tif 000009
【図８】
2018057745.tif 000010
【図９】
2018057745.tif 000011
【図１０】
2018057745.tif 000012